(57)【要約】【目的】  ＩＣカードを所持しなくても、携帯端末を利用して外出先のディジタル放送受信装置にて自身が契約している契約番組の視聴が行えるディジタル放送受信装置及び契約番組視聴方法を提供する。【構成】  携帯電話を用い、契約者は自身の契約情報とワーク鍵（Ｋｗ）の送信をサーバーに要求する（ステップＳ１）。サーバーは契約者からの要求か否かを判定し（ステップＳ２）、契約者からの要求であれば、その要求があった携帯電話に契約情報とワーク鍵（Ｋｗ）を送信する（ステップＳ３）。携帯電話は契約情報とワーク鍵（Ｋｗ）を受信し（ステップＳ４）、受信した契約情報とワーク鍵（Ｋｗ）を放送受信装置に転送する（ステップＳ５）。放送受信装置は契約情報とワーク鍵（Ｋｗ）を受信し（ステップＳ６）、デスクランブル処理を行う（ステップＳ７）。【選択図】        図３
2005229152.tif 000002
【特許請求の範囲】
【請求項１】
番組の契約情報とワーク鍵とを書換可能に保持するメモリと、デマルチプレクス処理にて分離した共通情報を前記ワーク鍵に基づいて解読する解読部と、解読結果と番組の契約情報とを対比して視聴可能判定を行い、視聴可能であると判定したときにスクランブル鍵をデスクランブル部に供給する鍵供給部と、携帯端末から転送された番組の契約情報とワーク鍵とを前記メモリに格納する手段と、を備えたことを特徴とするディジタル放送受信装置。
【請求項２】
請求項１に記載のディジタル放送受信装置にて契約番組を視聴する方法であって、携帯端末がサーバーにアクセスする段階と、契約者であると判定した場合に前記サーバーから契約情報とワーク鍵とが前記携帯端末に送信される段階と、携帯端末からディジタル放送受信装置に契約情報とワーク鍵とが転送される段階と、を含むことを特徴とする契約番組視聴方法。
【請求項３】
マスター鍵と番組の契約情報とワーク鍵とを書換可能に保持するメモリと、デマルチプレクス処理にて分離した個別情報を前記マスター鍵にて解読して契約情報とワーク鍵とを取得する第１解読部と、デマルチプレクス処理にて分離した共通情報を前記ワーク鍵にて解読する第２解読部と、第２解読部の解読結果と番組の契約情報とを対比して視聴可能判定を行い、視聴可能であると判定したときにスクランブル鍵をデスクランブル部に供給する鍵供給部と、携帯端末から転送されたマスター鍵を前記メモリに格納する手段と、を備えたことを特徴とするディジタル放送受信装置。
【請求項４】
請求項３に記載のディジタル放送受信装置にて契約番組を視聴する方法であって、携帯端末がサーバーにアクセスする段階と、契約者であると判定した場合に前記サーバーからマスター鍵が前記携帯端末に送信される段階と、携帯端末からディジタル放送受信装置にマスター鍵が転送される段階と、前記サーバーからの要請を受けてディジタル放送波に前記契約者の個別情報が載せられる段階と、ディジタル放送受信装置が前記個別情報を受信し、前記マスター鍵にて前記個別情報を解読して契約情報とワーク鍵とを取得する段階と、を含むことを特徴とする契約番組視聴方法。
【請求項５】
携帯端末用としてのマスター鍵を保持する第１メモリと、番組の契約情報とワーク鍵とを書換可能に保持する第２メモリと、デマルチプレクス処理にて分離した個別情報を前記携帯端末用としてのマスター鍵にて解読して契約情報とワーク鍵とを取得する第１解読部と、デマルチプレクス処理にて分離した共通情報を前記ワーク鍵にて解読する第２解読部と、第２解読部の解読結果と番組の契約情報とを対比して視聴可能判定を行い、視聴可能であると判定したときにスクランブル鍵をデスクランブル部に供給する鍵供給部と、携帯端末に前記携帯端末用としてのマスター鍵を転送する手段と、を備えたことを特徴とするディジタル放送受信装置。
【請求項６】
請求項５に記載のディジタル放送受信装置にて契約番組を視聴する方法であって、携帯端末に前記携帯端末用としてのマスター鍵が転送される段階と、携帯端末がサーバーにアクセスする段階と、契約者であるかどうか及び携帯端末から送信された前記携帯端末用としてのマスター鍵が有効かどうかが判定される段階と、契約者であり且つ前記携帯端末用としてのマスター鍵が有効であると判定した場合に前記サーバーから前記契約者の個別情報の送信要請がなされる段階と、前記サーバーからの要請を受け、前記携帯端末用としてのマスター鍵にて解読できる前記契約者の個別情報がディジタル放送波に載せられる段階と、ディジタル放送受信装置が前記個別情報を受信し、前記携帯端末用としてのマスター鍵にて前記個別情報を解読して契約情報とワーク鍵とを取得する段階と、を含むことを特徴とする契約番組視聴方法。
【請求項７】
請求項１又は請求項５に記載のディジタル放送受信装置において、限られた時間内又は携帯端末とディジタル放送受信装置との接続状態が保たれている間、契約情報が保持されるように構成されたことを特徴とするディジタル放送受信装置。
【請求項８】
請求項３に記載のディジタル放送受信装置において、限られた時間内又は携帯端末とディジタル放送受信装置との接続状態が保たれている間、マスター鍵が保持されるように構成されたことを特徴とするディジタル放送受信装置。
【発明の詳細な説明】
【技術分野】
【０００１】
この発明は、ディジタル放送受信装置及び契約番組視聴方法に関する。
【背景技術】
【０００２】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルなかから任意のチャンネルをデマルチプレクス処理によって選択し、この選択したチャンネルのディジタル信号を取り出し、これをデコードすることによって映像・音声信号を出力することができる。
【０００３】
このようなディジタル放送では、契約者のみが視聴できる限定受信サービスが提供されており、契約番組を視聴するためにはＩＣカード（例えば、Ｂ−ＣＡＳカード等）が必要とされる（特許文献１参照）。
【特許文献１】特開平１０−２１５４４１号公報
【発明の開示】
【発明が解決しようとする課題】
【０００４】
しかしながら、自宅のディジタル放送受信装置において番組契約を行っていても、外出先のディジタル放送受信装置にて契約番組を視聴しようとする場合、ＩＣカードの所持が必要となり不便である。
【０００５】
この発明は、上記の事情に鑑み、常時所持していることが多い携帯端末を用いて契約番組の視聴が行えるディジタル放送受信装置及び契約番組視聴方法を提供することを目的とする。
【課題を解決するための手段】
【０００６】
この発明の第１のディジタル放送受信装置は、上記の課題を解決するために、番組の契約情報とワーク鍵とを書換可能に保持するメモリと、デマルチプレクス処理にて分離した共通情報を前記ワーク鍵に基づいて解読する解読部と、解読結果と番組の契約情報とを対比して視聴可能判定を行い、視聴可能であると判定したときにスクランブル鍵をデスクランブル部に供給する鍵供給部と、携帯端末から転送された番組の契約情報とワーク鍵とを前記メモリに格納する手段と、を備えたことを特徴とする。
【０００７】
そして、この発明の第１の契約番組視聴方法は、前記第１のディジタル放送受信装置にて契約番組を視聴する方法であって、携帯端末がサーバーにアクセスする段階と、契約者であると判定した場合に前記サーバーから契約情報とワーク鍵とが前記携帯端末に送信される段階と、携帯端末からディジタル放送受信装置に契約情報とワーク鍵とが転送される段階と、を含むことを特徴とする。
【０００８】
また、この発明の第２のディジタル放送受信装置は、マスター鍵と番組の契約情報とワーク鍵とを書換可能に保持するメモリと、デマルチプレクス処理にて分離した個別情報を前記マスター鍵にて解読して契約情報とワーク鍵とを取得する第１解読部と、デマルチプレクス処理にて分離した共通情報を前記ワーク鍵にて解読する第２解読部と、第２解読部の解読結果と番組の契約情報とを対比して視聴可能判定を行い、視聴可能であると判定したときにスクランブル鍵をデスクランブル部に供給する鍵供給部と、携帯端末から転送されたマスター鍵を前記メモリに格納する手段と、を備えたことを特徴とする。
【０００９】
そして、この発明の第２の契約番組視聴方法は、前記第２のディジタル放送受信装置にて契約番組を視聴する方法であって、携帯端末がサーバーにアクセスする段階と、契約者であると判定した場合に前記サーバーからマスター鍵が前記携帯端末に送信される段階と、携帯端末からディジタル放送受信装置にマスター鍵が転送される段階と、前記サーバーからの要請を受けてディジタル放送波に前記契約者の個別情報が載せられる段階と、ディジタル放送受信装置が前記個別情報を受信し、前記マスター鍵にて前記個別情報を解読して契約情報とワーク鍵とを取得する段階と、を含むことを特徴とする。
【００１０】
また、この発明の第３のディジタル放送受信装置は、携帯端末用としてのマスター鍵を保持する第１メモリと、番組の契約情報とワーク鍵とを書換可能に保持する第２メモリと、デマルチプレクス処理にて分離した個別情報を前記携帯端末用としてのマスター鍵にて解読して契約情報とワーク鍵とを取得する第１解読部と、デマルチプレクス処理にて分離した共通情報を前記ワーク鍵にて解読する第２解読部と、第２解読部の解読結果と番組の契約情報とを対比して視聴可能判定を行い、視聴可能であると判定したときにスクランブル鍵をデスクランブル部に供給する鍵供給部と、携帯端末に前記携帯端末用としてのマスター鍵を転送する手段と、を備えたことを特徴とする。
【００１１】
そして、この発明の第３の契約番組視聴方法は、前記第３のディジタル放送受信装置にて契約番組を視聴する方法であって、携帯端末に前記携帯端末用としてのマスター鍵が転送される段階と、携帯端末がサーバーにアクセスする段階と、契約者であるかどうか及び携帯端末から送信された前記携帯端末用としてのマスター鍵が有効かどうかが判定される段階と、契約者であり且つ前記携帯端末用としてのマスター鍵が有効であると判定した場合に前記サーバーから前記契約者の個別情報の送信要請がなされる段階と、前記サーバーからの要請を受け、前記携帯端末用としてのマスター鍵にて解読できる前記契約者の個別情報がディジタル放送波に載せられる段階と、ディジタル放送受信装置が前記個別情報を受信し、前記携帯端末用としてのマスター鍵にて前記個別情報を解読して契約情報とワーク鍵とを取得する段階と、を含むことを特徴とする。
【００１２】
上述した第１又は第３のディジタル放送受信装置において、限られた時間内又は携帯端末とディジタル放送受信装置との接続状態が保たれている間、契約情報が保持されるように構成されているのがよい。また、第２のディジタル放送受信装置において、限られた時間内又は携帯端末とディジタル放送受信装置との接続状態が保たれている間、マスター鍵が保持されるように構成されているのがよい。
【発明の効果】
【００１３】
以上説明したように、この発明によれば、ＩＣカード（Ｂ−ＣＡＳカード等）を所持しなくても、携帯端末を利用して外出先のディジタル放送受信装置にて自身が契約している契約番組の視聴が行えるという効果を奏する。
【発明を実施するための最良の形態】
【００１４】
（実施形態１）
以下、この発明の実施形態を図１乃至図３に基づいて説明するが、ここではユーザがＢＳ（Ｂｒｏａｄｃａｓｔｉｎｇ  Ｓａｔｅｌｌｉｔｅ）ディジタル放送を視聴する場合を例示している。
【００１５】
図１は、この実施形態のディジタル放送受信装置２９を示したブロック図である。アンテナ１は、屋外において所定の方向に向けて配置されており、ディジタル放送波を受信する。このアンテナ１は、一般に周波数変換器を備え、受信／周波数変換した信号をチューナ２に与える。
【００１６】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１７】
デスクランブル部３は、有料放送において行われるスクランブルをＩＣカード相当部１６Ａから得られる鍵情報によって解除する処理を行う。また、このデスクランブル部３は、デマルチプレクス処理部（ＤＥＭＵＸ）を有しており、デスクランブル処理されたトランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離する。デマルチプレクス処理部は、ビデオストリームとオーディオストリームをＡＶデコーダ４に供給し、ＰＳＩ／ＳＩをＣＰＵ１３に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００１８】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１９】
映像処理回路５は、ＡＶデコーダ４から映像データを受け取ってＤ／Ａ変換を行い、例えばＮＴＳＣフォーマットのコンポジット信号に変換する。音声信号処理回路６は、ＡＶデコーダ４から出力された音声データを受け取ってＤ／Ａ変換を行い、例えば右（Ｒ）音のアナログ信号および左（Ｌ）音のアナログ信号を生成する。
【００２０】
映像出力回路７及び音声出力回路８は出力抵抗や増幅器等を備えて成る。ＡＶ出力端子９には出力部（左右音声出力端子等や映像出力端子のセット）が設けられており、この出力部には、映像／音声コード１７によって受像部１８ａ及びスピーカ１８ｂを備えるモニタ１８が接続される。
【００２１】
ＯＳＤ（オンスクリーンディスプレイ）回路１２は、ＣＰＵ１３から出力指示された文字情報等に基づくビットマップデータを加算器２０に出力する。加算器２０は前記ビットマップデータを映像に組み込む処理を行う。上記ＯＳＤ回路１２により、ＥＰＧ（Ｅｌｅｃｔｒｏｎｉｃ  Ｐｒｏｇｒａｍ  Ｇｕｉｄｅ）画面表示等が実現される。
【００２２】
ＩＣカード相当部１６Ａは、ＩＣカード（Ｂ−ＣＡＳカード等）のハード部分が装置２９内に組み込まれて成るものであり、番組の契約情報とワーク鍵（Ｋｗ）を書換可能に保持するメモリと、デマルチプレクス処理部にて分離した共通情報であるＥＣＭ（entitlement control message ）を前記ワーク鍵（Ｋｗ）に基づいて解読する解読部と、解読結果と番組の契約情報とを対比して視聴可能判定を行い、視聴可能であると判定したときにスクランブル鍵（Ｋｓ）をデスクランブル部３に供給する鍵供給部と、を備える。番組の契約情報とワーク鍵（Ｋｗ）はＣＰＵ１３から与えられて書き換えられる。ＣＰＵ１３は、携帯電話から前記番組の契約情報とワーク鍵（Ｋｗ）を受け取るが、これについては後で詳述する。ＣＡモジュール１６は、ＣＰＵ１３とＩＣカード相当部１６Ａとの間で諸情報の書込処理や読出処理を行う。
【００２３】
リモコン送信機１０は、当該放送受信装置２９に指令を送出するための送信機である。このリモコン送信機１０に設けられた図示しないキーを操作すると、そのキーに対応した指令を意味する赤外線信号光（リモコン信号）が図示しない発光部から送出される。リモコン受光器１１は、前記赤外線信号光を受光し、これを電気信号に変換してＣＰＵ１３に与える。また、リモコン受光器１１は、携帯電話から出力された赤外線信号光を受光し、これを電気信号に変換してＣＰＵ１３に与えることができる。ＣＰＵ１３は前記電気信号に基づいて携帯電話から出力された信号をデコードする。
【００２４】
ここで、ネットワーク上のサーバーとして、ディジタル放送の視聴契約者のためのサーバー（以下、契約者用サーバーという）が存在するものとする。契約者用サーバーには、視聴契約者が所持する携帯電話の電話番号、視聴契約者のＩＤ番号とパスワード、視聴契約者の契約情報（どの放送が視聴可能かを示す情報）、及びワーク鍵（Ｋｗ）が格納されている。そして、この契約者用サーバーは、前記電話番号とＩＤ番号とパスワードとに基づいて契約者かどうかを判定し、契約者であると判定したときに、当該視聴契約者の契約情報及びワーク鍵（Ｋｗ）を前記携帯電話に送信する。
【００２５】
前記携帯電話は、ネットワーク上のサーバにアクセスし、このサーバから情報を受信する機能を備える。携帯電話が契約者用サーバにアクセスすると、例えば、図２（ａ）に示すページが携帯電話の画面に表示される。ユーザは、テンキーを用いて前記画面上にパスワード及びＩＤ番号を入力する。ユーザによって送信ボタンが操作されると、携帯電話はパスワード及びＩＤ番号を契約者用サーバーに送信する。そして、携帯電話は契約者用サーバーから送信された契約情報及びワーク鍵（Ｋｗ）をメモリに格納する。この携帯電話は赤外線通信機能を備えている。図２（ｂ）に示す操作画面上の転送ボタンを操作すると、契約情報及びワーク鍵（Ｋｗ）が赤外線信号に変換されて出力される。
【００２６】
前述したごとく、放送受信装置２９は、携帯電話から出力された赤外線信号光をリモコン受光器１１にて受光し、この赤外線信号光を電気信号に変換してＣＰＵ１３に与える。ＣＰＵ１３は前記電気信号をデコードして契約情報及びワーク鍵（Ｋｗ）を取得し、ＣＡモジュール１６に与える。このＣＡモジュール１６によってＩＣカード相当部１６Ａのメモリには前記契約情報及びワーク鍵（Ｋｗ）が格納される。
【００２７】
以上の流れを図３に示す。まず、携帯電話が契約情報とワーク鍵（Ｋｗ）の送信をサーバーに要求する（ステップＳ１）。サーバーは契約者からの要求か否かを判定し（ステップＳ２）、契約者からの要求であれば、その要求があった携帯電話に契約情報とワーク鍵（Ｋｗ）を送信する（ステップＳ３）。携帯電話は契約情報とワーク鍵（Ｋｗ）を受信し（ステップＳ４）、受信した契約情報とワーク鍵（Ｋｗ）を放送受信装置２９に転送する（ステップＳ５）。放送受信装置２９は契約情報とワーク鍵（Ｋｗ）を受信し（ステップＳ６）、デスクランブル処理を行う（ステップＳ７）。
【００２８】
上述した構成を有するディジタル放送受信装置２９が例えば旅先のホテル等に設置されていると、ユーザはＩＣカードを所持しなくても、携帯電話さえ所持しておけば、自身が契約している番組を前記受信装置２９を用いて視聴することが可能になる。すなわち、契約しているチャンネルで見たい番組が放送されるときに出張等となっても、ＩＣカードを家族用に残して出先の受信装置２９で契約番組を見ることが可能となる。
【００２９】
なお、放送受信装置２９に転送された契約情報及びワーク鍵（Ｋｗ）は、限られた時間内（例えば、２時間といった時間、或いは、ホテルのチェックアウト時まで等）又は携帯端末とディジタル放送受信装置２９との接続状態が保たれている間だけ保持され、時間経過後や接続状態が解除された時には消去されるようにしている。また、携帯端末の側についても、例えば、契約情報及びワーク鍵（Ｋｗ）を受け取った旨の情報を放送受信装置２９から受け取ったときに、契約情報及びワーク鍵（Ｋｗ）を消去することとしている。
【００３０】
（実施形態２）
以下に、この発明の他の実施形態を図４及び図５に基づいて説明していく。図４に示すディジタル放送システムでは、インターネット３９に接続されたサーバー３１をディジタル放送事業者装置３０の構成要素として示しているが、このような形態に限るものではなく、サーバー３１は別箇所に存在し、このサーバー３１から放送事業者装置３０に情報が送信されるようになっていてもよい。すなわち、放送事業者装置３０がインターネット３９に接続されていることは必須ではない。
【００３１】
放送事業者装置３０は、Ａ放送局３６やＢ放送局３７などから送られてくるトランスポートストリーム（ＴＳ）を合成部３３にて合成し、変調・送信部３５によって衛星（ＢＳ）３８にアップリンクを行う。
【００３２】
前記サーバー３１には、視聴契約者が所持する携帯電話４０の電話番号、視聴契約者のＩＤ番号とパスワード、及び視聴契約者のマスター鍵（Ｋｍ）が格納されている。そして、前記サーバー３１は、前記電話番号とＩＤ番号とパスワードとに基づいて契約者かどうかを判定し、契約者であると判定したときに、当該契約者のマスター鍵（Ｋｍ）を携帯端末に送信する。そして、その後に、個別情報である当該契約者のＥＭＭ（entitlement management message）の送信を放送事業者装置３０に依頼する。放送事業者装置３０は上記依頼を受けると、ＥＭＭ挿入部３２によって前記契約者のＥＭＭをセクション形式でトランスポート・ストリームに組み込む。
【００３３】
ディジタル放送受信装置２９′は、実施形態１に示したディジタル放送受信装置２９と同様、ＩＣカード相当部を備えるが、このＩＣカード相当部は、ＣＰＵから与えられたマスター鍵（Ｋｍ）を書換可能に格納できるようになっている。そして、携帯電話４０は、赤外線通信にてマスター鍵（Ｋｍ）を受信装置２９′に与え、受信装置２９′は受け取ったマスター鍵（Ｋｍ）をＩＣカード相当部に格納する。
【００３４】
前述したごとく、放送事業者装置３０によって前記契約者のＥＭＭがトランスポート・ストリームに載せられるので、受信装置２９′は前記のマスター鍵（Ｋｍ）によって前記ＥＭＭを解読し、契約情報とワーク鍵（Ｋｗ）を取得し、デスクランブル処理を行うことができる。
【００３５】
以上の流れを図５に示す。まず、携帯電話がマスター鍵（Ｋｍ）の送信をサーバー３１に要求する（ステップＳ１１）。サーバー３１は契約者からの要求か否かを判定し（ステップＳ１２）、契約者からの要求であれば、その要求があった携帯電話にマスター鍵（Ｋｍ）を送信する（ステップＳ１３）。携帯電話はマスター鍵（Ｋｍ）を受信し（ステップＳ１４）、受信したマスター鍵（Ｋｍ）を放送受信装置２９′に転送する（ステップＳ１５）。放送受信装置２９′はマスター鍵（Ｋｍ）を受信する（ステップＳ１８）。また、放送事業者装置３０は契約者のＥＭＭを放送電波に載せる（ステップＳ１６，Ｓ１７）。放送受信装置２９′はディジタル放送波を受信してＥＭＭを取得する（ステップＳ１９）。放送受信装置２９′はマスター鍵（Ｋｍ）によってＥＭＭを解読し、契約情報とワーク鍵（Ｋｗ）を取得し、デスクランブル処理を行う（ステップＳ２０）。
【００３６】
なお、放送受信装置２９′に転送されたマスター鍵（Ｋｍ）は、限られた時間内（例えば、２時間といった時間、或いは、ホテルのチェックアウト時まで等）だけ保持され、時間経過後には消去されるようにしている。また、携帯端末とディジタル放送受信装置２９とが例えば有線接続されている状態でのみ上記処理が行われ、放送受信装置２９′に転送されたマスター鍵（Ｋｍ）は、この接続状態が保たれている間だけ保持され、この接続状態が解除された時には消去されるようにしてもよい。また、携帯端末の側についても、例えば、マスター鍵（Ｋｍ）を受け取った旨の情報を放送受信装置２９′から受け取ったときに、マスター鍵（Ｋｍ）を消去することとしている。
【００３７】
また、放送受信装置が携帯端末用のマスター鍵（Ｋｍ′）を持つ構成を採用することもできる。すなわち、携帯端末と放送受信装置とがデータ送受可能とされた状態で放送受信装置から携帯端末へ前記マスター鍵（Ｋｍ′）を送信する。そして、携帯端末がサーバーにアクセスし、前述したＩＤ番号等の他に前記のマスター鍵（Ｋｍ′）を送信する。サーバー側ではマスター鍵（Ｋｍ′）の登録表を備えておく。サーバーは、受信したマスター鍵（Ｋｍ′）が登録されているものであると判定し、且つ、前記ＩＤ番号等に基づいて契約者からの要求であると判定したとき、前記マスター鍵（Ｋｍ′）にて解除することができる前記契約者（携帯端末所持者）のＥＭＭの送信を放送事業者装置３０に依頼する。かかる構成であれば、契約者のマスター鍵（Ｋｍ）は放送受信装置に転送されることがないので、契約者のマスター鍵（Ｋｍ）の流出を防止できる。また、サーバー側では前記マスター鍵（Ｋｍ′）を受信することでどの放送受信装置が利用されたかを知ることができる。なお、かかる構成においても、放送受信装置は、取得した契約情報及びワーク鍵（Ｋｗ）を、限られた時間内又は携帯端末と放送受信装置との接続状態が保たれている間だけ保持し、時間経過後や接続状態が解除された時に消去する。また、携帯端末の側は、サーバーに前記マスター鍵（Ｋｍ′）を送信した後に、これを消去する。
【００３８】
また、従来の放送受信装置であれば、ＰＰＶ（Pay per View）のため等に電話回線に接続される必要があるが、上述した携帯端末を用いる手法であれば、この携帯端末を用いてサーバー（契約センター）にアクセスして情報を送受することができる。例えば、携帯端末にて視聴したいＰＰＶ番組の番組名（又はコード）を前記サーバー（契約センター）に送信することで、課金処理が可能となる。また、携帯端末にて予め視聴したいＰＰＶ番組の番組名（又はコード）やその視聴による支払い手続きを済ませておくようにしてもよい。また、必ずしも赤外線通信にて放送受信装置と携帯端末とが接続される必要はなく、放送受信装置と携帯端末とが対応するコネクタ及びインターフェイスを有し、有線接続にてデータ送受を行うように構成されていてもよい。また、有線／無線ＬＡＮなどにて接続されてデータ送受を行うこととしても構わない。また、携帯端末として携帯電話を例示したが、携帯電話に限らず、ＰＤＡなども利用できる。
【図面の簡単な説明】
【００３９】
【図１】この発明の実施形態のディジタル放送受信装置を示すブロック図である。
【図２】同図（ａ）（ｂ）は携帯電話のディスプレイ上に表示された画面例を示した説明図である。
【図３】契約番組の視聴方法を示した説明図である。
【図４】この発明の実施形態のディジタル放送システムを示した説明図である。
【図５】契約番組の視聴方法を示した説明図である。
【符号の説明】
【００４０】
１    アンテナ
２    チューナ
３    デマルチプレクサ（ＤＥＭＵＸ）
４    ＡＶデコーダ
１０  リモコン送信機
１３  ＣＰＵ
１６Ａ  ＩＣカード相当部
２９  ディジタル放送受信装置
２９′  ディジタル放送受信装置
３０  放送事業者装置
３１  サーバー
３９  インターネット
４０  携帯電話
【図１】
2005229152.tif 000003
【図２】
2005229152.tif 000004
【図３】
2005229152.tif 000005
【図４】
2005229152.tif 000006
【図５】
2005229152.tif 000007